(57)【特許請求の範囲】
【請求項１】
ページレイアウトデータを校正用ＲＩＰ装置によりＲＩＰ展開してページラスターデータを作成する工程と、前記ページレイアウトデータを面付けして面付けレイアウトデータを作成する工程と、前記面付けレイアウトデータを本出力用ＲＩＰ装置によりＲＩＰ展開して面付けラスターデータを作成する工程と、前記校正用ＲＩＰ装置によりＲＩＰ展開された前記ページラスターデータと前記面付けラスターデータ上のページラスターデータとを比較する工程を有することを特徴とする検版方法。
【請求項２】
ページレイアウトデータを校正用ＲＩＰ装置によりＲＩＰ展開してページラスターデータを作成する工程と、前記ページレイアウトデータを面付けして面付けレイアウトデータを作成する工程と、前記面付けレイアウトデータを本出力用ＲＩＰ装置によりＲＩＰ展開して面付けラスターデータを作成する工程と、比較すべきページラスターデータ同士の照合範囲を数値指定すると共に配置角度の差を数値指定する工程と、指定された照合範囲、配置角度の差に基づいて前記校正用ＲＩＰ装置によりＲＩＰ展開された前記ページラスタデータと前記面付けラスタデータ上のページラスターデータとの位置を一致させる工程と、一致したページラスターデータ同士を比較する工程を有することを特徴とする検版方法。
【請求項３】
ページレイアウトデータをＲＩＰ展開してページラスターデータを作成する校正用ＲＩＰ手段と、前記ページレイアウトデータを面付けして面付けレイアウトデータを作成する面付け手段と、前記面付けレイアウトデータをＲＩＰ展開して面付けラスタデータを作成する本出力用ＲＩＰ手段と、前記校正用ＲＩＰ手段によりＲＩＰ展開された前記ページラスターデータと前記面付けラスターデータ上のページラスターデータとを比較する比較手段を有することを特徴とする検版装置。
【請求項４】
ページレイアウトデータをＲＩＰ展開してページラスターデータを作成する校正用ＲＩＰ手段と、前記ページレイアウトデータを面付けして面付けレイアウトデータを作成する面付け手段と、前記面付けレイアウトデータをＲＩＰ展開して面付けラスタデータを作成する本出力用ＲＩＰ手段と、比較すべきページラスターデータ同士の照合範囲を数値指定すると共に配置角度の差を数値指定する指定手段と、指定された照合範囲、配置角度の差に基づいて前記校正用ＲＩＰ装置によりＲＩＰ展開された前記ページラスターデータと前記面付けラスターデータ上のページラスターデータとの位置を一致させ、一致したページラスターデータ同士を比較する比較手段を有することを特徴とする検版装置。
【発明の詳細な説明】
【０００１】
【産業上の利用分野】
本発明は、コンピュータによってデジタル的に製版を行う場合において、校正時のページデータと刷版時の面付けデータ上のページデータを比較し、差異を出力する検版方法および装置に関する。
【０００２】
【従来の技術】
印刷の前工程である刷版の作成工程においては、まず、レイアウト機能を有する編集装置により画像データ、図形データ、文字データ等を配置して、レイアウトデータを作成する。このレイアウトデータは通常、最終的に印刷される１ページあるいは見開きの２ページ単位で作成されることが多いので、ページレイアウトデータと呼ばれる。図４に示すようにページＡのレイアウトデータが編集装置により作成され、これからフィルム、刷版を経てページＡの校正刷りが出力され、初校が行われる。ページＡの校正刷りを見て修正が必要であれば、編集装置によりページＡのレイアウトデータを修正し、再度校正刷りを出力して内容を確認する（再校）。修正の必要がなくなれば（校了）、面付け装置により面付けされ、面付けレイアウトデータが作成される。面付け装置は、指定されたページ数に従って、複数のページをレイアウトする機能を有する。図４の例では、４面付け、すなわち４つのページＡ〜Ｄが割付けられている。この面付けレイアウトデータを出力用ＲＩＰ装置によりＲＩＰ展開して面付け刷版を作成し、この刷版の面付け状態を確認し、問題がなければ、印刷を行う。
また、面付けされた各ページの内容の確認は、図４に点線で示すように面付け刷版上の各ページと、校了となった校正刷りを目視で比較確認することにより行われている。あるいは、面付け刷版の代わりに面付けレイアウトデータをプリンタにより出力した面付けプリントアウトを用いて目視比較を行っている。
【０００３】
【発明が解決しようとする課題】
しかしながら、特に、ＣＴＰ（Computer To Plate）によりフィルムを介さず刷版に直接出力した面付け刷版を用いた場合、目視により仕様体裁や面付けを確認しようとすると、版が大きい、金属性で硬い、キズがつかないように注意が必要、画線の色が薄い等のさまざまな問題が生じる。
また、面付け刷版の代わりに面付けプリントアウトで検版しようとすると、プリンタ出力の作業が余分に発生するという問題がある。
さらに、校了となったデータをフィルムまたは刷版に出力する出力機および出力機用にレイアウトデータをラスターデータに展開するＲＩＰ装置は、上記校正刷りで用いたＲＩＰ装置とは別ものであり、そのＲＩＰ装置の機種によって、扱う文字書体が異なるため、校正段階で確認された書体が印刷時には違うものになっている等の問題が発生する。
本発明はこのような点に鑑み、実際に刷版、フィルム等を出力せずに、校了となったページデータと、最終的な面付け状態に割付けられた各ページデータとの比較を行うことが可能な検版方法および装置を提供することを課題とする。さらに、前記比較の際、校了となったページデータと、最終的な面付け状態に割付けられた各ページデータとの位置合わせを容易にする検版方法および装置を提供することを課題とする。
【０００４】
【課題を解決するための手段】
上記課題を解決するため、請求項１、３に記載の発明では、ページレイアウトデータを校正用ＲＩＰ装置によりＲＩＰ展開してページラスターデータを作成し、前記ページレイアウトデータを面付けして面付けレイアウトデータを作成し、前記面付けレイアウトデータを本出力用ＲＩＰ装置によりＲＩＰ展開して面付けラスターデータを作成し、前記校正用ＲＩＰ装置によりＲＩＰ展開された前記ページラスターデータと前記面付けラスターデータ上のページラスターデータとを比較するようにしたことを特徴とする。
請求項１、３に記載の発明では、校正用ＲＩＰ装置によりＲＩＰ展開されたページラスターデータと、本出力用ＲＩＰ装置によりＲＩＰ展開された面付けラスターデータ上のページラスターデータとを比較するようにしたので、フィルムまたは刷版の出力を行わずに、最終的な面付け状態を確認することができると共に、ＲＩＰ装置の機種の違いによる問題も事前に発見することができる。
【０００５】
請求項２、４に記載の発明では、請求項１、３にの記載の発明に加えてさらに、比較すべきページラスターデータ同士の照合範囲を数値指定すると共に配置角度の差を数値指定し、指定された照合範囲、配置角度の差に基づいて前記校正用ＲＩＰ装置によりＲＩＰ展開された前記ページラスタデータと前記面付けラスタデータ上のページラスターデータとの位置を一致させ、一致したページラスターデータ同士を比較するようにしたことを特徴とする。
請求項２、４に記載の発明では、特に、ラスターデータ同士の比較前に、比較すべきページラスターデータ同士の照合範囲を数値指定すると共に配置角度の差を数値指定し、両者の位置を一致させるようにしたので、比較すべきページラスターデータ同士の位置合わせを容易にすることができる。
【０００６】
【発明の実施の形態】
以下、発明の実施の形態について、図面を用いて詳細に説明する。
図１は本発明による検版装置の一実施形態の構成を示すブロック図である。図１において、１は編集装置であり、画像データ、図形データ、文字データ等を所望の位置にレイアウトしてベクターデータであるレイアウトデータを作成する機能を有する。２は校正用ＲＩＰ装置であり、編集装置１により編集されたレイアウトデータをＲＩＰ展開してラスターデータを作成する機能を有する。３は校正出力装置であり、校正用ＲＩＰ装置２により作成されたラスターデータを校正刷りとしてフィルムまたは版に出力する機能を有する。４は面付け装置であり、編集装置１により編集されたレイアウトデータの面付けを行って面付けレイアウトデータを作成する機能を有する。５はＣＴＰ用ＲＩＰ装置であり、面付け装置４により作成された面付けレイアウトデータをＲＩＰ展開して面付けラスターデータを作成する機能を有する。６はＣＴＰ出力装置であり、ＣＴＰ用ＲＩＰ装置５により作成されたラスターデータを刷版に直接出力する機能を有する。７は比較装置であり、校正用ＲＩＰ装置２により作成されたラスターデータと、ＣＴＰ用ＲＩＰ装置５により作成された面付けラスターデータの位置合わせを行った後、両者を比較する機能を有する。８は検査結果出力装置であり、比較装置７で比較された結果に基づいて、両ラスターデータの差異をフィルム、紙等に出力する機能を有する。９はデータサーバーであり、編集装置１により編集されたレイアウトデータ、校正用ＲＩＰ装置２により作成されたラスターデータ、面付け装置４により作成された面付けレイアウトデータ、ＣＴＰ用ＲＩＰ装置５により作成された面付けラスターデータ、比較装置７による比較結果等、本検版装置の処理過程における必要なデータを保存する機能を有する。また、図において、矢印はデータの流れを示し、矢印のないところは、データが双方向に流れることを示す。
【０００７】
具体的には、編集装置１、面付け装置４、比較装置７はコンピュータにそれぞれの機能を有する専用のソウトウェアを組み込んだものであり、１つのコンピュータに３つの機能を持たせても良いし、別々のコンピュータであっても良い。これらのコンピュータには、ＣＲＴディスプレイ等の表示装置、マウスやキーボードのような入力指示装置等作業に必要な機器が接続されている。校正用ＲＩＰ装置２、ＣＴＰ用ＲＩＰ装置５は同様の機能を持つ市販の装置であるが、使用する文字書体等の細かい仕様が異なっていても良い。ＣＴＰ出力装置６は市販の刷版作成装置が利用できる。検査結果出力装置８は市販のＣＲＴ表示装置、プリンタ等が利用できる。
【０００８】
続いて、図２に示すフローチャートを用いて本検版装置の処理動作について説明する。
まず、ステップＳ１では、オペレータが編集装置１を用いてページレイアウトデータを作成する。ベクターデータであるページレイアウトデータには、必要な情報が付され、基準レイアウトデータとしてデータサーバー９に登録される。１つの基準レイアウトデータには１つのページレイアウトデータが記録されている。
【０００９】
次に、ステップＳ２では、校正用ＲＩＰ装置２で、この基準レイアウトデータに記録されたページレイアウトデータをＲＩＰ展開してページラスターデータを作成する。ページラスターデータには必要な情報が付され、基準ラスターデータとしてデータサーバー９に登録される。基準ラスターデータとは、１つのページラスターデータに位置合わせマークを付したものである。図３（ａ）に示す基準ラスターデータの例では、ページＡのページラスターデータの周りに８個の位置合わせマークＴ１が付されている。
【００１０】
ステップＳ１、ステップＳ２においてページレイアウトデータを含む基準レイアウトデータとページラスターデータを含む基準ラスターデータが作成されるわけであるが、実際の運用では、基準ラスターデータを校正出力装置３から出力して、内容を確認し、修正が必要であれば、編集装置１によりページレイアウトデータの修正を行い、これを新たなページレイアウトデータとしてデータサーバー９の基準レイアウトデータを書き換える。同様に、このページレイアウトデータを校正用ＲＩＰ装置２によりＲＩＰ展開して、新たなページラスターデータを作成し、データサーバー９の基準ラスターデータを書き換える。このように、校正が終了するまで、何度でも基準レイアウトデータと基準ラスターデータは書き換えられる。
【００１１】
正しい基準レイアウトデータが得られたら、すなわち校了となったら、ステップＳ３において、面付け装置４によりページレイアウトデータの面付けを行って面付けレイアウトデータを作成し、データサーバー９に登録する。
【００１２】
ステップＳ４では、ＣＴＰ用ＲＩＰ装置５により面付けレイアウトデータをＲＩＰ展開して面付けラスターデータを作成し、データサーバー９に登録する。面付けラスターデータとは、複数のページラスターデータが面付けされたものであり、各ページラスターデータに位置合わせマークが付されたものである。図３（ｂ）に示す面付けラスターデータの例では、ページＡのページラスターデータの周りには、８個の位置合わせマークＴ２が付され、ページＢのページラスターデータの周りにも、８個の位置合わせマークＴ３が付されている。
【００１３】
ステップＳ５では、オペレータが比較装置７に対して、比較すべき複数の基準ラスターデータと面付けラスターデータを指定する。指定には、マウスやキーボード等を指定手段として用いる。指定された両データは画面上に表示される。表示された基準ラスターデータと面付けラスターデータの様子は前述の図３のようになる。さらに、両ラスターデータ上の照合範囲、配置向きを指定する。照合範囲は、検版開始位置（ＳＲ１、ＳＱ１）を、画面上をマウスにより指示することにより指定し、照合サイズ（Ｘ１、Ｙ１）を数値指定することにより行われる。基準ラスターデータ上のページＡのページラスターデータと、面付けラスターデータ上のページＡのページラスターデータは同サイズなので、照合サイズは両者とも同サイズに指定する。ただし、オペレータは、表示画面を見ながら、ページラスターデータと位置合わせマークが全て含まれるように照合サイズを指定する。この結果、図３における点線に囲まれた部分が照合範囲となる。また、配置向きは、両ラスターデータの配置角度が異なる場合に指定する。例えば、図３に示すように上下反対向きでデータが配置されている場合は、「１８０度」と指定する。このステップＳ５における作業は、複数の基準ラスターデータと対応する面付けラスターデータ上の各ページラスターデータについて行われる。
【００１４】
次のステップＳ６では、比較装置７により指定された両ページラスターデータの位置合わせを行う。位置合わせは図３に示すような８個の位置合わせマークを合わせることにより行う。位置合わせマークによるデータの位置合わせは公知の技術であるのでここでは詳しく説明しない。このとき、指定された配置角度が「０度」でない場合は、どちらか一方のページラスターデータを指定角度だけ回転処理した後、位置合わせを行う。例えば、図３に示すページＡのページラスターデータ同士の位置合わせを行う場合は、面付けラスターデータ上のページＡのページラスターデータを位置合わせマークＴ２と共に指定された角度「１８０度」だけ回転し、位置合わせマークＴ１と１８０度回転された位置合わせマークＴ２の位置を一致させることにより行う。このステップＳ６における処理も面付けラスターデータ上の各ページ分行われる。
【００１５】
位置合わせが終わったら、ステップＳ７において、比較装置７により両ラスターデータの比較を行う。これは、各画素の画素値の差分を求め、得られた差分を面付けラスターデータと同サイズの記憶領域に記録する。各ページレイアウトデータについて比較処理が行われ、最終的に差分データである差分ラスターデータが得られる。
【００１６】
ステップＳ８では、この差分ラスターデータをディスプレイまたはプリンタ等の検査結果出力装置８を用いて画面表示またはプリントアウトする。オペレータはこの画面またはプリントアウトの内容を確認し、修正の必要があれば、編集装置１によりレイアウトデータの修正を行う。修正の必要がなければ、ＣＴＰ出力装置６により刷版の出力を行う。また、差分ラスターデータは必要に応じてデータサーバー９に登録される。
【００１７】
以上、本発明について説明したが、本発明は上記実施形態に限定されるものではない。例えば、ＣＴＰ用ＲＩＰ装置５、ＣＴＰ出力装置６に代えて、フィルム用ＲＩＰ装置、フィルム出力装置を用いることも可能である。ＣＴＰ用ＲＩＰ装置５、フィルム用ＲＩＰ装置どちらも本出力用ＲＩＰ装置として利用される。
【００１８】
【発明の効果】
以上、説明したように本発明によれば、校正用ＲＩＰ装置によりＲＩＰ展開されたページラスターデータと、本出力用ＲＩＰ装置によりＲＩＰ展開された面付けラスターデータ上のページラスターデータとを比較するようにしたので、フィルムまたは刷版の出力を行わずに、最終的な面付け状態を確認することができると共に、本出力用ＲＩＰ装置の機種の違いによる問題も事前に発見することができる。
また、ページラスターデータ同士の比較前に、比較すべきページラスターデータ同士の照合範囲を数値指定すると共に配置角度の差を数値指定し、両者の位置を一致させるようにしたので、比較すべきページラスターデータ同士の位置合わせを容易にすることができる。
【図面の簡単な説明】
【図１】本発明の検版装置の一実施形態を示す構成図である。
【図２】本発明の検版方法のフローチャートである。
【図３】基準ラスターデータと面付けラスターデータを示す図である。
【図４】従来の検版を説明するための印刷工程図である。
【符号の説明】
１・・・編集装置
２・・・校正用ＲＩＰ装置
３・・・校正出力装置
４・・・面付け装置
５・・・ＣＴＰ用ＲＩＰ装置
６・・・ＣＴＰ出力装置
７・・・比較装置
８・・・検査結果出力装置
９・・・データサーバー
【図１】
0004390899.tif 000002
【図２】
0004390899.tif 000003
【図３】
0004390899.tif 000004
【図４】
0004390899.tif 000005